(57)【要約】【課題】不特定多数の者がウェブサイトに対する評価情報を共用して利用することができるようにする。【解決手段】サーバに設けられたウェブサイト評価メモリ７は、「旅行」「本」「テレビ」「自動車」等のウェブサイト毎に、評価コメントと評価点とが更新されつつ記憶される。評価コメントは、各ユーザのパソコンから送信された文字情報であって、この文字情報からなる評価コメントは、送信ユーザを示すハンドルネーム及び受信日時とともに、受信順に記憶される。また、評価点は同様にユーザのパソコンから送信された評価点を加減算した現在値により記憶されている。そして、ユーザのパソコンにウェブサイト情報が表示された際には、各ウェブサイトの近傍にウインドウを表示させて、サーバから送信した前記評価コメントと評価点とを表示させる。【選択図】図３
2007328667.tif 000002
【特許請求の範囲】
【請求項１】
インターネットを介して接続されるサーバと端末装置とで構成されるウェブサイト評価システムであって、
前記サーバは、
各々ウェブサイトを示す複数のウェブサイト情報を送信する第１の送信手段と、
前記ウェブサイトに対する評価を示す評価情報を記憶する記憶手段と、
前記端末装置から送信される前記評価情報を受信する受信手段と、
この受信手段により受信された前記評価情報に基づき、前記記憶手段に記憶されている前記評価情報を更新する記憶制御手段と、
前記記憶手段に記憶されている前記評価情報を送信する第２の送信手段とを備え、
前記端末装置は、
表示手段と、
前記第１の送信手段により送信される前記複数のウェブサイト情報を受信する第１の受信手段と、
この第１の受信手段により受信された前記複数のウェブサイト情報を前記表示手段に表示させる第１の表示制御手段と、
前記第２の送信手段により送信される前記評価情報を受信する第２の受信手段と、
この第２の受信手段により受信された前記評価情報を前記ウェブサイト情報に対応させて前記表示手段に表示させる第２の表示制御手段と、
前記評価情報を送信する送信手段と
を備えることを特徴とするウェブサイト評価システム。
【請求項２】
前記第２の表示制御手段は、前記第２の受信手段により受信された前記評価情報に対応するウェブサイト情報の近傍に所定のマークを表示させ、この所定のマークに対する操作に応じて、前記評価情報を表示させることを特徴とする請求項１記載のウェブサイト評価システム。
【請求項３】
前記所定のマークは吹き出しであることを特徴とする請求項２記載のウェブサイト評価システム。
【請求項４】
前記評価情報は、前記ウェブサイトに評価点数及び評価コメントの少なくとも一方を含むことを特徴とする請求項１から３にいずれか記載のウェブサイト評価システム。
【請求項５】
表示手段を備える端末装置が有するコンピュータで実行されるプログラムであって、
インターネットを介してサーバから送信される複数のウェブサイト情報を受信する第１の受信手順と、
この第１の受信手順により受信された前記複数のウェブサイト情報を前記表示手段に表示させる第１の表示制御手順と、
前記サーバから送信されるウェブサイトに対する評価を示す評価情報を受信する第２の受信手順と、
この第２の受信手順により受信された前記評価情報を前記ウェブサイト情報に対応させて前記表示手段に表示させる第２の表示制御手順と、
前記評価情報を、インターネットを介して前記サーバに送信する送信手順と
を前記コンピュータに実行させることを特徴とするウェブサイト評価プログラム。
【請求項６】
前記第２の表示制御手順では、前記第２の受信手段により受信された前記評価情報に対応するウェブサイト情報の近傍に所定のマークを表示させ、この所定のマークに対する操作に応じて、前記評価情報を表示させることを特徴とする請求項５記載のウェブサイト評価プログラム。
【請求項７】
前記所定のマークは吹き出しであることを特徴とする請求項６記載のウェブサイト評価プログラム。
【請求項８】
前記評価情報は、前記ウェブサイトに評価点数及び評価コメントの少なくとも一方を含むことを特徴とする請求項５から７にいずれか記載のウェブサイト評価プログラム。
【請求項９】
表示手段を備える端末装置が有するコンピュータ読み取り可能なプログラムを記録した記録媒体であって、
インターネットを介してサーバから送信される複数のウェブサイト情報を受信する第１の受信手順と、
この第１の受信手順により受信された前記複数のウェブサイト情報を前記表示手段に表示させる第１の表示制御手順と、
前記サーバから送信されるウェブサイトに対する評価を示す評価情報を受信する第２の受信手順と、
この第２の受信手順により受信された前記評価情報を前記ウェブサイト情報に対応させて前記表示手段に表示させる第２の表示制御手順と、
前記評価情報を、インターネットを介して前記サーバに送信する送信手順と
を前記コンピュータに実行させるウェブサイト評価プログラムを記録したことを特徴とする記録媒体。
【請求項１０】
前記第２の表示制御手順では、前記第２の受信手段により受信された前記評価情報に対応するウェブサイト情報の近傍に所定のマークを表示させ、この所定のマークに対する操作に応じて、前記評価情報を表示させることを特徴とする請求項９記載の記録媒体。
【請求項１１】
前記所定のマークは吹き出しであることを特徴とする請求項１０記載のウェブサイト評価プログラム。
【請求項１２】
前記評価情報は、前記ウェブサイトに評価点数及び評価コメントの少なくとも一方を含むことを特徴とする請求項９から１１にいずれか記載の記録媒体。
【発明の詳細な説明】
【技術分野】
【０００１】
本発明は、ウェブサイトに対する評価情報を共用するためのウェブサイト評価システム、ウェブサイト評価プログラム及びウェブサイト評価プログラムを記録した記録媒体に関する。
【背景技術】
【０００２】
従来、個々のウェブサイトについて、ユーザが評価した点数やコメントをサーバが記憶しておき、この点数やコメントをユーザのパソコンに送信して、パソコンが有する表示装置に表示させるシステムが確立されている。このシステムは、評価対象となっているウェブサイトとは別にウェブページを設けておき、当該ウェブページにおいて評価やコメントを行う仕組みになっている。
【０００３】
一方、特許文献１には、マルチウインドウ機能を有する複数の計算機を通信ネットワークにより接続し、１つの計算機で行われた入力操作が、他の計算機の表示に互いに反映されるような共用のウインドウを利用して、打ち合わせ等の共同作業行うシステムが開示されている。
【特許文献１】特開平８−２９７５５４号公報
【発明の開示】
【発明が解決しようとする課題】
【０００４】
しかしながら、前者にシステムにおいては、ウェブサイトの評価を見るためには、当該評価用のウェブページにユーザ自身の操作によりアクセスしなければならず、煩雑となる。また、ユーザにおいてそのような評価用のウェブページの存在を知らなければ、評価やコメントを見ることすらできない。
【０００５】
また、後者のシステムにあっては、１つの計算機で行われた入力操作が、他の計算機の表示に互いに反映されることから、特定の表示情報を複数の計算機で共用して利用することができる。しかし、この特定の表示情報を共用して利用できるのは、前記通信ネットワークを介して予め接続された特定の計算機同士、つまり特定のユーザ同士である。したがって、後者のシステムを如何に利用しても、不特定多数の者がウェブサイトに対する評価やコメントを共用して利用できるシステムを構築することができるものではなかった。
【０００６】
本発明は、このような従来の課題に鑑みてなされたものであり、不特定多数の者がウェブサイトに対する評価情報を共用して利用することのできるウェブサイト評価システム、ウェブサイト評価プログラム及びウェブサイト評価プログラムを記録した記録媒体を提供することを目的とする。
【課題を解決するための手段】
【０００７】
前記課題を解決するために請求項１記載の発明に係るウェブサイト評価システムは、インターネットを介して接続されるサーバと端末装置とで構成されるウェブサイト評価システムであって、前記サーバは、各々ウェブサイトを示す複数のウェブサイト情報を送信する第１の送信手段と、前記ウェブサイトに対する評価を示す評価情報を記憶する記憶手段と、前記端末装置から送信される前記評価情報を受信する受信手段と、この受信手段により受信された前記評価情報に基づき、前記記憶手段に記憶されている前記評価情報を更新する記憶制御手段と、前記記憶手段に記憶されている前記評価情報を送信する第２の送信手段とを備え、前記端末装置は、表示手段と、前記第１の送信手段により送信される前記複数のウェブサイト情報を受信する第１の受信手段と、この第１の受信手段により受信された前記複数のウェブサイト情報を前記表示手段に表示させる第１の表示制御手段と、前記第２の送信手段により送信される前記評価情報を受信する第２の受信手段と、この第２の受信手段により受信された前記評価情報を前記ウェブサイト情報に対応させて前記表示手段に表示させる第２の表示制御手段と、前記評価情報を送信する送信手段とを備える。
【０００８】
また、請求項２記載の発明に係るウェブサイト評価システムは、前記第２の表示制御手段は、前記第２の受信手段により受信された前記評価情報に対応するウェブサイト情報の近傍に所定のマークを表示させ、この所定のマークに対する操作に応じて、前記評価情報を表示させる。
【０００９】
また、請求項３記載の発明に係るウェブサイト評価システムは、前記所定のマークは吹き出しである。
【００１０】
また、請求項４記載の発明に係るウェブサイト評価システムは、前記評価情報は、前記ウェブサイトに評価点数及び評価コメントの少なくとも一方を含む。
【００１１】
また、請求項５記載の発明に係るウェブサイト評価プログラムは、表示手段を備える端末装置が有するコンピュータで実行されるプログラムであって、サーバから送信される複数のウェブサイト情報を受信する第１の受信手順と、この第１の受信手順により受信された前記複数のウェブサイト情報を前記表示手段に表示させる第１の表示制御手順と、前記サーバから送信されるウェブサイトに対する評価を示す評価情報を受信する第２の受信手順と、この第２の受信手順により受信された前記評価情報を前記ウェブサイト情報に対応させて前記表示手段に表示させる第２の表示制御手順と、前記評価情報を、インターネットを介して前記サーバに送信する送信手順とを前記コンピュータに実行させる。
【００１２】
また、請求項６記載の発明に係るウェブサイト評価プログラムは、前記第２の表示制御手順では、前記第２の受信手段により受信された前記評価情報に対応するウェブサイト情報の近傍に所定のマークを表示させ、この所定のマークに対する操作に応じて、前記評価情報を表示させる。
【００１３】
また、請求項７記載の発明に係るウェブサイト評価プログラムは、前記所定のマークは吹き出しである。
【００１４】
また、請求項８記載の発明に係るウェブサイト評価プログラムは、前記評価情報は、前記ウェブサイトに評価点数及び評価コメントの少なくとも一方を含む。
【００１５】
また、請求項９記載の発明に係る記録媒体は、表示手段を備える端末装置が有するコンピュータ読み取り可能なプログラムを記録した記録媒体であって、サーバから送信される複数のウェブサイト情報を受信する第１の受信手順と、この第１の受信手順により受信された前記複数のウェブサイト情報を前記表示手段に表示させる第１の表示制御手順と、前記サーバから送信されるウェブサイトに対する評価を示す評価情報を受信する第２の受信手順と、この第２の受信手順により受信された前記評価情報を前記ウェブサイト情報に対応させて前記表示手段に表示させる第２の表示制御手順と、前記評価情報を、インターネットを介して前記サーバに送信する送信手順とを前記コンピュータに実行させるウェブサイト評価プログラムを記録している。
【００１６】
また、請求項１０記載の発明に係る記録媒体は、前記第２の表示制御手順では、前記第２の受信手段により受信された前記評価情報に対応するウェブサイト情報の近傍に所定のマークを表示させ、この所定のマークに対する操作に応じて、前記評価情報を表示させる。
【００１７】
また、請求項１１記載の発明に係る記録媒体は、前記所定のマークは吹き出しである。
【００１８】
また、請求項１２記載の発明に係る記録媒体は、前記評価情報は、前記ウェブサイトに評価点数及び評価コメントの少なくとも一方を含む。
【発明の効果】
【００１９】
本発明によれば、評価情報がウェブサイト情報に対応して表示されることから、煩雑な操作やウェブページに対する知識を要することなく、ウェブサイトに対する評価を見ることができる。また、ウェブサイトに対する評価情報は、インターネットを介して接続可能なサーバに記憶されて管理されていることから、不特定多数の者がウェブサイトに対する評価情報を共用して、リアルタムで利用することができるとともに、ウェブページを加工したり、ウェブページの表示態様を損なうこともない。さらに、評価情報は、各ユーザの端末装置から送信される評価情報により更新されることから、最新かつ多様な評価を表示させることができる。
【発明を実施するための最良の形態】
【００２０】
以下、本発明の実施の形態を図に従って説明する。図１は、本発明の一実施の形態に係るウェブサイト評価システムの構成を示すブロック図である。インターネット１上には、サーバ２と、各ユーザが使用するパソコン３・・・とが接続される。
【００２１】
図２は、前記サーバ２の構成を示すブロック図である。図示のように、サーバ２には、全体の制御を行うＣＰＵ２０１と、ブートプログラム等が格納されたＲＯＭ２０２と、一時記憶領域であるＲＡＭ２０３、ＣＤ−ＲＯＭ２０４を駆動するＣＤ−ＲＯＭドライブ２０５がバス２０６を介して互いに接続されている。また、後述するフローチャートにより示すサーバ側のプログラムが格納され、各種情報を記憶するハードディスク２０７と、キーボード・マウスインターフェイス２０８と、ディスプレイ２０９に接続されたビデオインターフェイス２１０と、前記インターネット１に接続するための通信インターフェイス２１１とがバス２０６に接続されている。キーボード・マウスインターフェイス２０８には、コマンドや文字の入力に使用されるキーボード２１２及びマウス２１３が接続されている。
【００２２】
前記ハードディスク２０７には、図３に示すウェブサイト評価メモリ７が格納されている。このウェブサイト評価メモリ７には、「旅行」「本」「テレビ」「自動車」等の後述するウェブサイト情報が示すウェブサイト毎に、評価コメントと評価点とが更新されつつ記憶される。評価コメントは、前記各ユーザのパソコン３から送信された文字情報であって、この文字情報からなる評価コメントは、送信ユーザを示すハンドルネーム及び受信日時とともに、受信順に記憶される。また、評価点は同様にユーザのパソコン３から送信された評価点を加減算した現在値により記憶されている。
【００２３】
図４は、パソコン３の構成を示すブロック図である。図示のように、このパソコン３は、バス３０１を介して互いに接続された制御部３０２、ＨＤＤ（Hard Disk）３０３、ＲＡＭ（Random Access Memory）３０４、サウンド処理部３０５、グラフィック処理部３０６、ＤＶＤ／ＣＤ−ＲＯＭドライブ３０７、通信インターフェイス３０８、及びインターフェイス部３０９を備えている。
【００２４】
制御部３０２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ３０４に記憶されたプログラムを順次実行して、各種処理等を行うとともに、パソコン３本体内の各部の動作を制御する。ＨＤＤ３０３には、通信インターフェイス３０８及びインターネット１を介して外部から取り込んだプログラム及びデータが記憶される。
【００２５】
ＲＡＭ３０４は、メインメモリとして使用されるもので、ＤＶＤ／ＣＤ−ＲＯＭ３１０から転送された、プログラムやデータを記憶する。ＲＡＭ３０４は、また、プログラム実行時におけるワークエリアとしても使用される。サウンド処理部３０５は、制御部３０２からの指示に従って、サウンドデータを再生するための処理を行い、音声信号として出力する。
【００２６】
グラフィック処理部３０６は、制御部３０２からの指示に従って各種画像データを生成し、また、グラフィック処理部３０６は、生成した画像データに所定の同期信号を付加して、ビデオ信号として表示装置３１１に出力する。ＤＶＤ／ＣＤ−ＲＯＭドライブ３０７は、制御部３０２からの指示に従って、パソコン３にセットされたＤＶＤ／ＣＤ−ＲＯＭ３１０を駆動し、ＤＶＤ／ＣＤ−ＲＯＭ３１０に格納されているプログラムやデータを、バス３０１を介してＲＡＭ３０４に転送する。通信インターフェイス３０８は、通信回線を介して外部のインターネット１に接続され、制御部３０２からの指示に従って、外部のインターネット１との間でプログラムやデータを授受するための処理を行う。
【００２７】
インターフェイス部３０９には、キーボード３１２とマウス３１３とが接続される。このインターフェイス部３０９では、キーボード３１２及びマウス３１３と制御部３０２やＲＡＭ３０４との間のデータの授受を制御する。ＨＤＤ３０３は、各種プログラムや後述するフローチャートに示す、このパソコン３をアプリケーション配信システムにおける端末装置として動作させる為のプログラムや各種データを格納している。ＤＶＤ／ＣＤ−ＲＯＭ３１０は、ＤＶＤ／ＣＤ−ＲＯＭドライブ３０７によって駆動されて、格納しているプログラムやデータが読み出される。ＤＶＤ／ＣＤ−ＲＯＭ３１０から読み出されたプログラムやデータは、ＤＶＤ／ＣＤ−ＲＯＭドライブ３０７からバス３０１を介してＲＡＭ３０４に転送される。表示装置３１１は、グラフィック処理部３０６からのビデオ信号に対応する画像を表示する液晶パネル等からなる表示画面を備えている。
【００２８】
なお、端末装置の例としてパソコン３を示したが、端末装置はインターネットに接続可能で、アプリケーションを実行でき、画面表示等の出力が可能であればよい。したがって、端末装置はパソコンに限定されず、ＰＤＡ、ゲーム機、カーナビゲーションやビデオデッキなどの家電機器、その他の機器であってもよい。
【００２９】
次に、以上の構成に係る本実施の形態の動作について、フローチャートに基づいて説明する。図５及び図６は、パソコン３とサーバ２の動作を示す一連のフローチャートである。パソコン３は、ユーザのキー操作等に基づきインターネット１に接続した後（図５ステップＰ１）、ブラウザを起動させ（ステップＰ２）、インターネット１上の任意のサーバからウェブページを取得してプラウザで表示する（ステップＰ３、Ｐ４）。このステップＰ４の処理により、パソコン３の表示装置３１１には、図６（Ａ）に示すように、各々ウェブサイトを示す「ショッピング」「ゲーム」「本」・・・等の複数のウェブサイト情報が表示されることとなる。
【００３０】
次に、パソコン３は、プラグインを自動的に又はユーザのキー操作等に応じて起動し（ステップＰ５）、このプラグインがウェブページ内に埋め込まれたＵＲＬ情報（例えば、図７の「自動車」のＵＲＬ）を検知してサーバ２に評価情報送信要求を送信する（ステップＰ６）。するとサーバ２は、この評価情報送信要求を受信して、前記ＵＲＬ情報に対応した評価情報を評価情報を図３に示したウェブサイト評価メモリ７から読み出してパソコン３に送信する（ステップＳ２）。パソコン３の前記ブラウザのプラグインは、評価情報を取得して。プラグインが設定したレイヤ上の所定位置に吹き出し１４を表示する（ステップＰ８）。つまり、図７（Ａ）に別レイヤを重ねた状態が図７（Ｂ）となる。これにより、ウェブページの全体には全く手を加えることなく、に吹き出し１４を表示することができる。
【００３１】
なお、本実施の形態においては、図７（Ａ）に示したウェブサイト情報が示す全てウェブサイトについて、評価情報がウェブサイト評価メモリ７に記憶されているのではなく、特定のウェブサイトにのみ評価情報が記憶されている。したがって、評価情報に含まれているウェブサイトに対してのみ吹き出しを表示する。よって、このステップＰ８での処理により、図７（Ｂ）に例示すように、ウェブサイト情報「旅行」「本」「テレビ」「自動車」の近傍に吹き出し１４が各々表示されることとなる。また、同図に示すように、表示装置３１１の一部に、終了ボタン４、コメント作成ボタン５、及び送信ボタン６を表示する。
【００３２】
なお、ウェブサイト情報に対応する全てのウェブサイトに対する評価情報を記憶しておくようにしてもよく、この場合全てのウェブサイト情報の近傍に吹き出し１４が各々表示される。これらの吹き出し１４は、表示位置を自由に移動することができ、また、一括表示や一括隠しが可能である。
【００３３】
次に、前記ステップＰ８で表示された吹き出し１４のいずれかにカーソル又はポインターが近づいたか、又はカーソル又はポインターを吹き出し１４のいずれかに合致させて、マウス３１３によるクリックがなされたか否かを判断する（ステップＰ９）。このいずれかの操作がなされた場合には、操作された吹き出し１４に対応する評価情報等を表示画面の一部にウインドウ表示するとともに（ステップＰ１０）、タイマーをスタートさせる（ステップＰ１１）。前記ステップＰ１０での処理により、例えばウェブサイト情報「自動車」の近傍に表示されていた吹き出し１４をクリックした場合には、図８（Ａ）に示すように、画面の一部にウインドウ８が表示されて、その内部ウェブサイト「自動車」に対する評価コメント９と評価点１０とが表示される。
【００３４】
したがって、ユーザはこのウインドウ８内に表示された評価コメント９と評価点１０とを見て、当該ウェブサイトにアクセスするか否かを判断することができる。なお、このステップＰ１０での処理により、図８（Ａ）に示すように、ウインドウ８の周部に×ボタン１１、△ボタン１２、及び○ボタン１３も表示させる。
【００３５】
そして、ユーザが当該ウェブサイトにアクセスすべく、アクセス情報「自動車」をクリックすると、公知の処理により表示装置３１１には、ウェブサイトからダウンロードされた画像が表示されることとなる。そして、ウェブサイトの画像を閲覧し終わった場合に、「終了」ボタンをクリックすると、ステップＰ１４の判断がＹＥＳとなり、アクセスしたウェブサイトの画像を表示装置３１１に表示させる（ステップＰ１５）。したがって、ウェブサイトにアクセスした場合には、このステップＰ１５での処理により、再度図８（Ａ）に示した画面が表示装置３１１に表示される。
【００３６】
なお、このとき、前記ボタン４〜６は画面の一部に表示させておく。また、本実施の形態においては、終了ボタン４のクリックにより、ウェブサイトとのアクセス終了を判断するようにしたが、ブラウザの「戻る」ボタンの操作や通信状態に基づきウェブサイトとのアクセス終了を判断するようにしてもよい。
【００３７】
一方、ウェブサイトにアクセスしなかった場合には（ステップＰ１２：ＮＯ）、ステップＰ１３〜Ｓ１５の処理が実行されないことから、前記ステップＰ１０での処理により表示された図８（Ａ）の画面が表示され続けられる。したがって、ステップＰ１５からステップＰ１６に進む時点においては、ウェブサイトにアクセスしなかった場合、及びアクセスした後アクセスを終了した場合のいずれの場合にも、図８（Ａ）の画面が表示装置３１１に表示されている状態にある。
【００３８】
そして、ステップＰ１５に続く図６のステップＰ１６では、図８（Ａ）の表示画面において、○ボタン１３がクリックされたか否かを判断する。○ボタン１２がクリックされた場合には、ＲＡＭ３０５に評価点「＋３」を記憶する（ステップＰ１７）。また、△ボタン１３がクリックされたか否かを判断し（ステップＰ１８）、クリックされた場合には、ＲＡＭ３０５に評価点「−１」を記憶する（ステップＰ１９）。
【００３９】
引き続き、×ボタン１１がクリックされたか否かを判断し（ステップＰ２０）、クリックされた場合には、ウインドウ８を閉じる（ステップＰ２１）。さらに、前記ステップＰ１１でスタートさせたタイマーをストップさせるとともに、リセットする（ステップＰ２２）。
【００４０】
したがって、このタイマーにより、前記ステップＰ１０で評価コメント９と評価点１０等をウインドウ８により表示した時点から、ユーザが×ボタン１１をクリックしてウインドウ８を閉じた時点までの経過時間が計測されることとなる。このとき、ユーザがウインドウ８内の評価コメント９や評価点１０を見て、当該ウェブサイトに対する興味を失い、直ぐにウインドウ８を閉じた場合には、前記経過時間は短いものとなる。また、ユーザがウインドウ８内の評価コメント９や評価点１０を見て、当該ウェブサイトに対する興味を持ち、前述のように当該ウェブサイトにアクセスした場合には（ステップＰ１２：ＹＥＳ）、前記経過時間は長いものとなる。
【００４１】
そこで、前記経過時間が所定時間以内（数秒以内、例えば１０秒以内）であるか否かを判断する（ステップＰ２３）。そして、所定時間以内である場合には、当該ウェブサイトにアクセスせずとも、ユーザの当該ウェブサイトに対する評価は低いものと見なして、評価点「−２」をＲＡＭ３０５に記憶する（ステップＰ２４）。次に、送信ボタン６がクリックされたならば、前記ステップＰ１７、Ｐ１９、Ｐ２４でＲＡＭ３０５に記憶した評価点を当該ウェブサイトを示す情報とともにサーバ２に送信する（ステップＰ２５）。
【００４２】
すると、サーバ２は、このウェブサイトを示す情報とともに送信されてきた評価点を受信する（ステップＳ３）。そして、ウェブサイト評価メモリ７に格納されている対応するウェブサイトの評価点と、送信されてきた評価点とを加減算して（ステップＳ４）、これを更新する（ステップＳ５）。したがって、ウェブサイト評価メモリ７に記憶されている各ウェブサイト毎の評価点は、ユーザの評価により常に最新の評価点に更新されることとなる。
【００４３】
他方、パソコン３においては、コメント作成ボタン５がクリックされたか否かを判断する（ステップＰ２６）。コメント作成ボタン５がクリックされた場合には、評価コメント作成処理を実行する（ステップＰ２７）。このコメント作成処理に際しては、図８（Ｂ）に示すコメント作成画面を表示装置３１１に表示させ、キーボード３１２の操作により入力された文字を順次画面上に表示させていく。そして、ユーザがこのコメント作成画面上で評価コメントを作成した後、送信ボタン６がクリックすると、ステップＰ２８の判断がＹＥＳとなり、作成された文字情報からなる評価コメントを当該ユーザのハンドルネーム及び当該ウェブサイトを示す情報とともに、サーバ２に送信する（ステップＰ２９）。
【００４４】
サーバ２は、このハンドルネーム及びウェブサイトを示す情報とともに送信されてきた評価コメントを受信する（ステップＳ６）。そして、ウェブサイト評価メモリ７において、対応するウェブサイトの欄に評価コメントを追加して受信順に記憶する（ステップＳ７）。したがって、ウェブサイト評価メモリ７には各ウェブサイト毎の評価コメントが順次蓄積されていくこととなる。
【００４５】
このときサーバ２は、前述のようにウェブサイト評価メモリ７に、送信ユーザを示すハンドルネーム及び受信日時とともに、評価コメント受信順に記憶する。したがって、サーバ２は、ウェブサイト評価メモリ７に記憶された情報に基づき、より多くのコメントをアップロードしたユーザ（ハンドルネーム）のランキングを行うことができる。また、ウェブサイト評価メモリ７において評価点の高い順にウェブサイトの並べ替えやランキングを行ったり、コメントの多い順にウェブサイトの並べ替えやランキングを行うことができる。よって、パソコン３からの要求に応じてこれらランキング等を送信し、パソコン３の表示装置３１１に表示させるようにしてもよい。これにより、ユーザはランキング等に基づきウエブサイトに対する自己評価を行うことも可能となる。
【図面の簡単な説明】
【００４６】
【図１】本発明の一実施の形態に係るウェブサイト評価システムの構成を示すブロック図である。
【図２】サーバの構成を示すブロック図である。
【図３】ウェブサイト評価メモリの構成を示す概念図である。
【図４】パソコンの構成を示すブロック図である。
【図５】パソコンとサーバの動作を示すフローチャートである。
【図６】図５に続くフローチャートである。
【図７】（Ａ）はステップＰ４に対応する表示画面例を示す図であり、（Ｂ）はステップＰ８に対応する表示画面例を示す図である。
【図８】（Ａ）はステップＰ１０及びステップＰ１５に対応する表示画面例を示す図であり、（Ｂ）はステップＰ２７に対応する表示画面例を示す図である。
【符号の説明】
【００４７】
１    インターネット
２    サーバ
３    パソコン
４    終了ボタン
５    コメント作成ボタン
６    送信ボタン
７    ウェブサイト評価メモリ
８    ウインドウ
９    評価コメント
１０    評価点
２０１    ＣＰＵ
２０２    ＲＯＭ
２０３    ＲＡＭ
２０４    ＣＤ−ＲＯＭ
２０６    バス
２１１    通信インターフェイス
３０１    バス
３０２    制御部
３０３    ＨＤＤ
３０４    ＲＡＭ
３０５    サウンド処理部
３０５    ＲＡＭ
３０６    グラフィック処理部
３０８    通信インターフェイス
３０９    インターフェイス部
３１１    表示装置
３１２    キーボード
３１３    マウス
【図１】
2007328667.tif 000003
【図２】
2007328667.tif 000004
【図３】
2007328667.tif 000005
【図４】
2007328667.tif 000006
【図５】
2007328667.tif 000007
【図６】
2007328667.tif 000008
【図７】
2007328667.tif 000009
【図８】
2007328667.tif 000010